(57)【要約】【課題】カーテンウォール構造において、外壁部よりも建物の内部側に換気及び空調のための流路切換装置を容易に設置可能とするとともに、建物構造の簡素化によるコスト低減を図る。【解決手段】外周部を枠組みする枠材３１と、高さ方向中間に配置される上部横材３２と下部横材３３とを有し、前記枠材３１の上部側と前記上部横材３２とで囲まれた枠部に上部側パネルＧ１が支持され、前記枠材３１の下部側と前記下部横材３３とで囲まれた枠部に下部側パネルＧ２が支持され、かつ前記上部横材３２と下部横材３３との間に外気取込口３４が設けられたカーテンウォールパネル３０を上下及び左右方向に隣接配置することにより建物の外壁部を構成し、前記外壁部よりも建物の内部側に、換気及び空調のための流路切換装置２を配設するとともに、この流路切換装置２と前記外気取込口３４とを連通させる。【選択図】図２
2011132719.tif 000002
【特許請求の範囲】
【請求項１】
外周部を枠組みする枠材と、高さ方向中間に配置される上部横材と下部横材とを有し、前記枠材の上部側と前記上部横材とで囲まれた枠部に上部側パネルが支持され、前記枠材の下部側と前記下部横材とで囲まれた枠部に下部側パネルが支持され、かつ前記上部横材と下部横材との間に外気取込口が設けられたカーテンウォールパネルを上下及び左右方向に隣接配置することにより建物の外壁部を構成し、
前記外壁部よりも建物の内部側に、換気及び空調のための流路切換装置を配設するとともに、この流路切換装置と前記外気取込口とを連通させたことを特徴とするカーテンウォール構造。
【請求項２】
外周部を枠組みする枠材と、高さ方向中間に配置される横材とを有し、前記枠材の上部側と前記横材とで囲まれた枠部に上部側パネルが支持され、前記枠材の下部側と前記横材とで囲まれた枠部に下部側パネルが支持され、かつ前記横材に室内外を連通する外気取込口が設けられたカーテンウォールパネルを上下及び左右方向に隣接配置することにより建物の外壁部を構成し、
前記外壁部よりも建物の内部側に、換気及び空調のための流路切換装置を配設するとともに、この流路切換装置と前記外気取込口とを連通させたことを特徴とするカーテンウォール構造。
【請求項３】
前記流路切換装置は、空調設備との連通口、室内との連通口、室内側の窓部上部との連通口及び前記外気取込口を通じた外気との連通口を備えたケーシングと、前記ケーシング内に回動自在に設けられ、ケーシング内を流通する空気の流路を切り換える切換本体とを備え、
前記切換本体の切り換えにより、前記窓部上部連通口と空調設備連通口とを連通させ、窓部上部の室内空気を前記空調設備に供給する循環空調モードと、前記外気連通口と空調設備連通口とを連通させ、外気を前記空調設備に供給する換気空調モードと、前記外気連通口と室内連通口及び窓部上部連通口とを連通させ、外気を室内に供給する自然換気モードとに切換可能としてある請求項１、２いずれかに記載のカーテンウォール構造。
【請求項４】
前記上部側パネルは、ガラス又は外壁ボードのいずれかからなる請求項１〜３いずれかに記載のカーテンウォール構造。
【請求項５】
前記下部側パネルは、ガラスからなる請求項１〜４いずれかに記載のカーテンウォール構造。
【請求項６】
前記上部横材及び下部横材は、連結材によって連結することにより一体的に形成されている請求項１記載のカーテンウォール構造。
【請求項７】
前記外気取込口にはガラリを配設してある請求項１〜６いずれかに記載のカーテンウォール構造。
【請求項８】
前記外気取込口の外側には、庇が取り付けてある請求項１〜７いずれかに記載のカーテンウォール構造。
【発明の詳細な説明】
【技術分野】
【０００１】
本発明は、外壁部よりも建物の内部側に、換気及び空調のための流路切換装置を配設したカーテンウォール構造に関する。
【背景技術】
【０００２】
従来より、下記特許文献１に示されるように、窓部を室外側ガラスと室内側ガラスとにより二重構造とし、両ガラス間に空気層を設けるとともに、窓部の上部及び下部にそれぞれ流路切換装置を備え、この流路切換装置の切り換えによって、夏期において下部側から室外空気を空気層に導入させて上部側から室外に排気する流路と、冬期において下部側から室内空気を空気層に導入させて上部側から室内に戻す流路と、中間期において室外空気を室内に取り入れ可能な流路とに切換可能としたカーテンウォール構造が知られている。
【０００３】
かかるカーテンウォール構造では、例えば夏期にはガラス窓から差し込む日射熱による熱負荷を軽減し、冬期には太陽熱で暖められた空気を室内に循環するというように、季節毎に効率的な省エネルギー化が図られるようになっている。
【先行技術文献】
【特許文献】
【０００４】
【特許文献１】特開２００６−２９１６８９号公報
【発明の概要】
【発明が解決しようとする課題】
【０００５】
しかしながら、上記特許文献１記載のカーテンウォール構造では、換気及び空調のための流路切換装置は、カーテンウォール構造内に形成される取付用空間に設置されるものであるため、この流路切換装置を設置するには窓部を室外側ガラスと室内側ガラスとの二重構造とし、両ガラス間に空気層を設けるダブルスキンカーテンウォール構造とする必要があった。従って、通常のシングルスキンのカーテンウォール構造では、壁面の見込み厚が薄く流路切換装置を設置するための空間を確保できないため、前述のような夏期にガラス窓から差し込む日射熱の熱負荷を軽減するための流路切換装置を設けることができなかった。
【０００６】
また、上記特許文献１記載のカーテンウォール構造では、前述の通り窓部をダブルスキンとし、さらに１フロアにつき窓部の上部及び下部の両方にそれぞれ流路切換装置を備える必要があるため設備コストが嵩む問題があった。設備コストに対する省エネ効果としては、強い日射が差し込む南側の壁面に対しては有効であるものの、南西側や西側の壁面等では日射条件によっては十分な省エネルギー化が図れない場合があり、過剰設備によるコスト高が指摘されていた。
【０００７】
そこで本発明の主たる課題は、カーテンウォール構造において、外壁部よりも建物の内部側に、換気及び空調のための流路切換装置を容易に設置可能とするとともに、建物構造の簡素化によるコスト低減を図ったカーテンウォール構造を提供することにある。
【課題を解決するための手段】
【０００８】
上記課題を解決するために請求項１に係る本発明として、外周部を枠組みする枠材と、高さ方向中間に配置される上部横材と下部横材とを有し、前記枠材の上部側と前記上部横材とで囲まれた枠部に上部側パネルが支持され、前記枠材の下部側と前記下部横材とで囲まれた枠部に下部側パネルが支持され、かつ前記上部横材と下部横材との間に外気取込口が設けられたカーテンウォールパネルを上下及び左右方向に隣接配置することにより建物の外壁部を構成し、
前記外壁部よりも建物の内部側に、換気及び空調のための流路切換装置を配設するとともに、この流路切換装置と前記外気取込口とを連通させたことを特徴とするカーテンウォール構造が提供される。
【０００９】
上記請求項１記載の発明では、外壁部よりも建物の内部側に、換気及び空調のための流路切換装置を配設するとともに、この流路切換装置と外気取込口とを連通させてあるため、従来のように窓部をダブルスキンカーテンウォール構造とした上で、このカーテンウォール自体に流路切換装置を組み込むという構造ではなく、シングルスキンのカーテンウォール構造においても換気及び空調のための流路切換装置を設けることができ、壁面構造の簡素化によるコスト低減が図れるようになる。また、前記従来構造の場合は、上下方向に隣接するカーテンウォールパネル間に流路切換装置を設置する空間を設けるようにしていたが、この場合は、設置空間を精度良く確保するための精度管理が煩雑であったが、本発明では、外周部を枠組みする枠材と、高さ方向中間に配置される上部横材と下部横材とを有し、前記枠材の上部側と前記上部横材とで囲まれた枠部に上部側パネルが支持され、前記枠材の下部側と前記下部横材とで囲まれた枠部に下部側パネルが支持され、かつ前記上部横材と下部横材との間に、予め、外気取込口が設けられたカーテンウォールパネルを使用しているため、流路切換装置の設置空間を考慮することなく、一般的なカーテンウォール工法どおり、パネルを上下左右方向に隣接配置するだけの工事で済むようになる。
【００１０】
請求項２に係る本発明として、外周部を枠組みする枠材と、高さ方向中間に配置される横材とを有し、前記枠材の上部側と前記横材とで囲まれた枠部に上部側パネルが支持され、前記枠材の下部側と前記横材とで囲まれた枠部に下部側パネルが支持され、かつ前記横材に室内外を連通する外気取込口が設けられたカーテンウォールパネルを上下及び左右方向に隣接配置することにより建物の外壁部を構成し、
前記外壁部よりも建物の内部側に、換気及び空調のための流路切換装置を配設するとともに、この流路切換装置と前記外気取込口とを連通させたことを特徴とするカーテンウォール構造が提供される。
【００１１】
上記請求項２記載の発明は、外気取込口を形成する第２の形態例であり、具体的には、枠材の高さ方向中間に横材を配置し、この横材に室内外を連通する外気取込口（通孔）を設けるようにしたものである。
【００１２】
請求項３に係る本発明として、前記流路切換装置は、空調設備との連通口、室内との連通口、室内側の窓部上部との連通口及び前記外気取込口を通じた外気との連通口を備えたケーシングと、前記ケーシング内に回動自在に設けられ、ケーシング内を流通する空気の流路を切り換える切換本体とを備え、
前記切換本体の切り換えにより、前記窓部上部連通口と空調設備連通口とを連通させ、窓部上部の室内空気を前記空調設備に供給する循環空調モードと、前記外気連通口と空調設備連通口とを連通させ、外気を前記空調設備に供給する換気空調モードと、前記外気連通口と室内連通口及び窓部上部連通口とを連通させ、外気を室内に供給する自然換気モードとに切換可能としてある請求項１、２いずれかに記載のカーテンウォール構造が提供される。
【００１３】
上記請求項３記載の発明は、前記流路切換装置の具体的な構成と各種運転モードにおける流路の切り換え状態について規定したものである。特に、循環空調モードでは、窓部上部連通口と空調設備連通口とを連通させ、窓部上部の室内空気を空調設備に供給するため、夏期にガラス窓から差し込む日射熱の熱負荷が軽減できるようになる。
【００１４】
請求項４に係る本発明として、前記上部側パネルは、ガラス又は外壁ボードのいずれかからなる請求項１〜３いずれかに記載のカーテンウォール構造が提供される。
【００１５】
上記請求項４記載の発明では、例えば前記外気取込口を各階の天井パネルより上部側に設けた場合、上部側パネルとしてはガラスでもよいが、天井パネルによって室内への日射が遮られるため外壁ボードを使用するようにしてもよい。
【００１６】
請求項５に係る本発明として、前記下部側パネルは、ガラスからなる請求項１〜４いずれかに記載のカーテンウォール構造が提供される。
【００１７】
上記請求項５記載の発明では、下部側パネルは、建物の窓部を構成するようにガラスを使用するのが望ましい。
【００１８】
請求項６に係る本発明として、前記上部横材及び下部横材は、連結材によって連結することにより一体的に形成されている請求項１記載のカーテンウォール構造が提供される。
【００１９】
上記請求項６記載の発明では、前記上部横材及び下部横材を連結材によって連結することにより一体的に形成することによって、外気取込口の枠材をユニット化でき、施工性及びメンテナンス性の向上が図れるようになる。
【００２０】
請求項７に係る本発明として、前記外気取込口にはガラリを配設してある請求項１〜６いずれかに記載のカーテンウォール構造が提供される。
【００２１】
請求項８に係る本発明として、前記外気取込口の外側には、庇が取り付けてある請求項１〜７いずれかに記載のカーテンウォール構造が提供される。
【発明の効果】
【００２２】
以上詳説のとおり本発明によれば、シングルスキンのカーテンウォール構造において換気及び空調のための流路切換装置を容易に設置可能にするとともに、建物構造の簡素化によるコスト低減を図ったカーテンウォール構造が提供できるようになる。
【図面の簡単な説明】
【００２３】
【図１】本発明に係るカーテンウォール構造１の正面図である。
【図２】流路切換装置２を備えた建物の縦断面図である。
【図３】その要部拡大図である。
【図４】流路切換装置２の縦断面図である。
【図５】流路切換装置２の斜視図である。
【図６】切換本体８の斜視図である。
【図７】循環空調モードにおける流路切換装置２の縦断面図である。
【図８】換気空調モードにおける流路切換装置２の縦断面図である。
【図９】自然換気モードにおける流路切換装置２の縦断面図である。
【図１０】停止モードにおける流路切換装置２の縦断面図である。
【図１１】外気取込口３４の他の形成例を示す横材断面図である。
【発明を実施するための形態】
【００２４】
以下、本発明の実施の形態について図面を参照しながら詳述する。
〔カーテンウォール構造〕
本発明に係るカーテンウォール構造１は、図１及び図２に示されるように、外周部を枠組みする枠材３１と、高さ方向中間に配置される上部横材３２と下部横材３３とを有し、前記枠材３１の上部側と前記上部横材３２とで囲まれた枠部に上部側ガラスＧ１が支持され、前記枠材３１の下部側と前記下部横材３３とで囲まれた枠部に下部側ガラスＧ２が支持され、かつ前記上部横材３２と下部横材３３とを上下方向に間隔を空けて設けることにより、これらの間に外気取込口３４が設けられたカーテンウォールパネル３０を上下及び左右方向に隣接配置することにより建物の外壁部を構成したものである。そして、この外壁部よりも建物の内部側に、換気及び空調のための流路切換装置２を配設するとともに、この流路切換装置２と前記外気取込口３４とを連通させるようにしてある。
【００２５】
以下、具体的に詳述すると、
先ず建物構造としては、図２に示されるように、外壁を前記カーテンウォールパネル３０で構成するとともに、各階にスラブＳが配設され、各階の窓部の上方に対応する位置、詳細には天井パネルＰとスラブＳとの間に、前記外気取込口３４が設けられている。また、各階の窓部近傍の室内側には、日射を遮るとともに窓部との間の空気温度の上昇を図り、上昇流の生起及びそれによる換気の効率化によって熱負荷の軽減を図るためにブラインドＢが配設されている。
【００２６】
図２及び図３に示されるように、前記上部側ガラスＧ１は、前述の通り外気取込口３４が各階の窓部上方に設けられる関係上、ほぼ各階の天井パネルＰから天井スラブＳにかけて設けられるようになる。従って、上部側ガラスＧ１は、複層ガラス（ペアガラス）としてもよいが、前記天井パネルＰによって室内への日射が遮られるため、単板ガラスを使用してもよい。また、ガラスではなく、外壁ボードとすることもできる。
【００２７】
一方、前記下部側ガラスＧ２は、ほぼ各階の床から天井パネルＰにかけて設けられ、窓部を構成するものであるから、室内の断熱等を考慮して複層ガラス（ペアガラス）とすることが好ましい。
【００２８】
図３に示されるように、前記上部横材３２は、上面に上部側ガラスＧ１との嵌合溝３２ａを有する枠材であり、前記下部横材３３も同様に、下面に下部側ガラスＧ２との嵌合溝３３ａを有する枠材である。前記上部横材３２及び下部横材３３はそれぞれ、室内側に所定長さだけ延在させることにより室内側への流路を形成し、その室内側端面には流路切換装置２の外気連通口７に接続するダクトを固定するためのボルト３２ｂ、３３ｂが突出状態で複数設けられている。
【００２９】
前記外気取込口３４は、外壁部よりも建物の内部側に配設される換気及び空調のための流路切換装置２（後段で詳述）に連通させるようにしている。
【００３０】
このように、本発明に係るカーテンウォール構造１では、従来のように窓部をダブルスキンカーテンウォール構造とした上で、このカーテンウォール構造内に流路切換装置を組み込む構成ではないため、シングルスキンのカーテンウォール構造であっても流路切換装置２を設けることが可能となる。
【００３１】
前記上部横材３２及び下部横材３３は、外気取込口３４の両側部及びその中間部を連結材（図示せず）によって連結することにより一体的に形成されることが好ましい。これにより外気取込口３４の枠材がユニット化でき、施工性及びメンテナンス性の向上が図れるようになる。
前記外気取込口３４には、図３に示されるように、開口部にアルミ製のガラリ３５が取り付けられるとともに、雨除けなどのため外側に突出する庇３６が取り付けられている。前記庇３６は、図示例では外気取込口３４の外側下部に取り付けてあるが、外側上部に取り付けることができる。
【００３２】
〔流路切換装置２の構造〕
前記流路切換装置２は、図２に示されるように、建物の内部に各階毎に設けられ、換気及び空調のための各種運転モードに応じた流路に切り換えるためのものである。図示例では前記流路切換装置２は、各階のカーテンウォールパネル３０の近傍において、天井スラブＳの下面側に取付け用ブラケット２０を介して固設されるとともに、天井パネルＰ内に収納されている。
【００３３】
前記流路切換装置２は、図３及び図４に示されるように、空調設備との連通口４、室内との連通口５、室内側の窓部上部との連通口６及び外気との連通口７を備えたケーシング３と、前記ケーシング３内に回動自在に設けられ、ケーシング３内を流通する流路を切り換える切換本体８とを備えている。前記ケーシング３は、図５に示されるように、変形多角形状断面の中空体とされ、ほぼカーテンウォールパネルに対応する長さ寸法を有し、両端面の開口が端面封鎖板３Ａによって封鎖されている。前記各連通口４〜７は、部材長手方向に長いスリット状の開口とされる。
【００３４】
前記空調設備連通口４は、図示しない空調設備の給気側に接続され、その途中にエアフィルタなどの機能を有するチャンバーボックス４Ａが配設されている（図２参照）。前記室内連通口５は、必要に応じて流路途中にファンを設け、天井パネルＰ部に設けられる吹出口５Ａに接続されている。前記窓部上部連通口６は、カーテンウォールパネル３０の室内側近傍の上部、好ましくはカーテンウォールパネル３０とブラインドＢとの間の上部に設けられた吸込口６Ａに接続されている。前記外気連通口７は、建物壁面の外気と連通する外気取込口３４に接続されている。前記外気連通口７と外気取込口３４とは図示例のようにダクト７Ｂを介して接続しても、或いは直接的に近接するように接続してもよい。なお、図３に示されるように、前記外気取込口７Ａには、アルミ製ガラリ３５が設けられるとともに、その内側に鳥の侵入を防止するための防鳥ネット７Ｄが設けられている。
【００３５】
前記流路切換装置２は、詳細には図４に示されるように、断面中空円状のケーシング３の周面に時計回りに、前記空調設備連通口４、室内連通口５、窓部上部連通口６、外気連通口７の順で各連通口４〜７を備えるとともに、このケーシング３内の同心軸部に軸部材９を備えることにより、ケーシング３内に周回流路１０が形成されている。
【００３６】
前記周回流路１０には、空調設備連通口４と室内連通口５との間を仕切るように固定仕切板１１が固設されている。固定仕切板１１の内周面側及び外周面側の端部にはそれぞれシール材保持部１１ａ、１１ａが設けられ、それぞれ固形シール材１２、１２が取り付けられ、これら固形シール材１２，１２がケーシング３の内面と軸部材９の外面とに夫々接触するようになっている。前記固定仕切板１１は、ケーシング３の軸方向両端部を塞ぐ前記端面封鎖板３Ａに固定ネジによって固定されている。
【００３７】
前記周回流路１０には、前記切換本体８が前記軸部材９を回転中心として周回流路方向に沿って回動自在に配置されている。かかる切換本体８は、中空軸状の軸部材９内部に内設されたチューブラモータ１９により、軸部材９とともに回転駆動されることにより流路を切換可能としている。
【００３８】
前記切換本体８は、図４に示されるように、周回流路１０を仕切るように設けられた回転仕切板１３と、この回転仕切板１３から周方向に所定の間隔を空けた位置に前記周回流路を開放しながら前記連通口を塞ぐように設けられた回転閉塞体１４とから構成されている。前記回転仕切板１３の外縁部及び前記回転閉塞体１４の外周面両側部にはそれぞれ、ケーシング３の軸方向に沿ってシール材保持部１３ａ、１４ａ、１４ａが設けられ、それぞれ周回流路１０の外周面に摺接する固形シール材１５、１６が取り付けられている。
【００３９】
図４に示されるように、前記回転仕切板１３と回転閉塞体１４との間には離間部１７が設けられるとともに、図６に示されるように、前記回転閉塞体１４を軸部材９に連結するリブ１８に軸方向に複数の開口１８Ａ、１８Ａ…が設けられることによって、周回流路を開放するための流路が形成されている。これによって、前記離間部１７から周回流路１０内に流入した空気は、前記開口１８Ａを通って周回流路１０に流通できるようになっている。
【００４０】
〔運転モード〕
前記流路切換装置２は、前記切換本体８の切り換え（回転駆動）により、換気及び空調のための以下の４つの運転モードに応じて流路を切り換えている。以下、各種運転モードについて詳しく説明する。
【００４１】
（循環空調モード）
本運転モードは、特に夏期に下部側ガラスＧ２から差し込む日射熱による熱負荷を軽減するため、日射熱により下部側ガラスＧ２近傍の加熱された空気を窓部上部から吸い込み空調設備に供給するものである。
【００４２】
循環空調モードでは、図７に示されるように、切換本体８を回転駆動させることによって、前記回転仕切板１３を室内連通口５と窓部上部連通口６との間に位置させて回転仕切板１３及び固定仕切板１１で挟まれた室内連通口５を塞ぐとともに、前記回転閉塞体１４を外気連通口７を塞ぐように位置させる。これにより、切換本体８の離間部１７を通じて窓部上部連通口６と空調設備連通口４とが連通し、空調設備のファンの吸込力によって、窓部上部の室内空気が空調設備に供給されるようになる。
ここで、本循環空調モードでは、前記窓部上部連通口６と空調設備連通口４とは、各流路の流路方向中心線の成す角度αが鈍角となるように設けられ、窓部上部の室内空気が円滑に空調設備連通口４に流れるようになっている。
【００４３】
（換気空調モード）
本運転モードは、日射熱による熱負荷が弱い時期や、外気を取り入れることによる換気を行いつつ空調を行いたい場合などにおいて、外気を空調設備に供給するものである。
【００４４】
換気空調モードでは、図８に示されるように、切換本体８を回転駆動させることによって、前記回転仕切板１３を室内連通口５と窓部上部連通口６との間に位置させて回転仕切板１３及び固定仕切板１１で挟まれた室内連通口５を塞ぐとともに、前記回転閉塞体１４を窓部上部連通口６を塞ぐように位置させる。これにより、外気連通口７と空調設備連通口４とが連通し、空調設備のファンの吸込力によって外気が空調設備に供給されるようになる。
【００４５】
（自然換気モード）
本運転モードは、春秋等の中間期に外気を直接室内に供給したい場合や夏期に夜間の低温の外気を室内に取り込みたい場合、昼間でも室内換気が必要な場合などに行われるものである。
自然換気モードでは、図９に示されるように、切換本体８を回転駆動させることによって、前記回転仕切板１３を外気連通口７と空調設備連通口４との間に位置させて回転仕切板１３及び固定仕切板１１で挟まれた空調設備連通口４を塞ぐようにする。これにより、外気連通口７と室内連通口５及び窓部上部連通口６とが連通し、室内外の圧力差による自然換気又は流路途中に設けたファンによる強制換気が行われる。
【００４６】
ここで、本運転モードでは、窓部上部連通口６が開放されているため、次の構成を採用することにより、窓部上部連通口６への流通を低減している。第１には、窓部上部連通口６は他の連通口より断面積を小さくすることにより、窓部上部連通口６への空気流量を低減するとともに、圧力損失の増加による空気の進入を抑制している。第２には、外気連通口７と室内連通口５とを各流路の流路方向中心線の成す角度βが鈍角となるように、即ち直線的流路とすることにより、外気連通口７から室内連通口５に空気を流れ易くしている。第３には、窓部上部連通口６と窓部上部の吸込口６Ａとを接続するダクトに１又は複数のエルボを設け、管路の圧力損失の増加による空気の進入を抑制している。
【００４７】
（停止モード）
本モードは、流路切換装置２における空気の流れを停止するものである。停止モードでは、図１０に示されるように、切換本体８を回転駆動させることによって、前記循環空調モードと同様に窓部上部連通口６と空調設備連通口４とを連通させた状態で、空調設備の給気ファンを停止して空気の流通を停止する。
【００４８】
〔他の形態例〕
上記形態例では、外気取込口３４は、枠材３１の高さ方向中間に上部横材３２と下部横材３３とを配置し、前記枠材３１の上部側と前記上部横材３２とで囲まれた枠部に上部側ガラスＧ１を支持し、前記枠材３１の下部側と前記下部横材３３とで囲まれた枠部に下部側ガラスＧ２を支持し、前記上部横材３２と下部横材３３との隙間により形成するようにしたが、前記上部横材３２と下部横材３３に代えて、図１１に示される横材２１を配置し、枠材３１の上部側と前記横材２１とで囲まれた枠部に上部側ガラスＧ１を支持し、前記枠材３１の下部側と前記横材２１とで囲まれた枠部に下部側ガラスＧ２を支持し、前記横材２１に室内外を連通する開口２１ａ、２１ａ…を設けることにより外気取込口３４を形成するようにしてもよい。
【符号の説明】
【００４９】
１…カーテンウォール構造、２…流路切換装置、３…ケーシング、４…空調設備連通口、５…室内連通口、６…窓部上部連通口、７…外気連通口、８…切換本体、９…軸部材、１０…周回流路、１１…固定仕切板、１３…回転仕切板、１４…回転閉塞体、１７…離間部、２１…横材、３０…カーテンウォールパネル、３１…枠材、３２…上部横材、３３…下部横材、３４…外気取込口、Ｂ…ブラインド、Ｇ１…上部側ガラス、Ｇ２…下部側ガラス、Ｐ…天井パネル、Ｓ…スラブ
【図１】
2011132719.tif 000003
【図２】
2011132719.tif 000004
【図３】
2011132719.tif 000005
【図４】
2011132719.tif 000006
【図５】
2011132719.tif 000007
【図６】
2011132719.tif 000008
【図７】
2011132719.tif 000009
【図８】
2011132719.tif 000010
【図９】
2011132719.tif 000011
【図１０】
2011132719.tif 000012
【図１１】
2011132719.tif 000013